(57)【要約】      （修正有）【課題】駆動に電力を必要とせず、耐久性を向上させた計算機の構造を提供する。【解決手段】計算ユニット１０とシート体２０と第１軸棒２１と第２軸棒２２と蓋体２４と押圧部３０とからなり、計算ユニットは、ローラーロッド１１と推進片１４と金属レバー１５と主輪１７と金属停止部１６と複数の副輪１８を備え、推進片はローラーロッドに連結され、金属レバーは金属弾性部１５１に連結され、金属弾性部と金属レバーは推進片に連結されることにより、金属停止部が主輪を互いにかみ合わせる。シート体に計算ユニットが設置される。第１軸棒は、各副輪及び主輪を穿設し、シート体及びローラーロッドに軸合される。第２軸棒は、シート体に軸合するとともに、複数の駆動輪２３を穿設する。蓋体は、窓２４１を通して計算ユニットが計算した数字を表示する。押圧部は、計算ユニットのローラーロッドに嵌合されることにより、計算ユニットを駆動する。【選択図】図２
0003211208.tif 000002
【実用新案登録請求の範囲】
【請求項１】
計算ユニットと、シート体と、第１軸棒と、第２軸棒と、蓋体と、押圧部と、からなる計算機の構造であって、
前記計算ユニットは、ローラーロッドと、推進片と、金属レバーと、主輪と、金属停止部と、複数の副輪を備え、前記ローラーロッドの一端には横方向穴が設けられ、前記ローラーロッドの他端は、中心に軸穴が設けられた駆動部を備え、前記横方向穴は、横棒を備え、前記ローラーロッドは回復部を嵌合し、前記ローラーロッドの駆動部はリセット部を備え、前記推進片は駆動部はめ込み穴を備え、前記ローラーロッドの駆動部には前記駆動部はめ込み穴がはめ込まれており、前記推進片の周囲にはストッパが穿設され、前記ストッパの一側は、前記リセット部に当接し係止され、前記ストッパの他側の周囲には、抵抗部が突設され、前記金属レバーは金属弾性部に連結され、前記金属弾性部と金属レバーは、前記推進片のストッパの他端に連結され、前記主輪は中心軸穴を備え、前記主輪の一面は複数の回転歯を備え、他面は係止歯を備えることによって、前記金属停止部は、前記主輪の回転歯を互いにかみ合わせ、さらに前記各副輪は中心軸穴を備え、前記各副輪の一面は複数の咬歯を備え、前記各副輪の他面は係止歯を備え、
前記シート体には、前記計算ユニットが設置され、前記シート体の一側には穿孔が設けられ、前記ローラーロッドは前記穿孔を穿設することによって、前記計算ユニットのローラーロッドを前記シート体の外に突き出させ、
前記第１軸棒は、前記各副輪の中心軸穴及び前記主輪の中心軸穴を穿設し、前記第１軸棒の一端は、前記シート体の側壁に軸合し、他端は、前記ローラーロッド駆動部の中心軸穴に軸合することによって、前記金属レバーと前記主輪の係止歯が互いにかみ合い、
前記第２軸棒は、両端がそれぞれ前記シート体の両側壁に軸合するとともに、複数の駆動輪を穿設し、前記各駆動輪は、中心軸穴を備え、さらに前記各駆動輪は、複数の長歯と複数の短歯を備え、前記第２軸棒は、前記各駆動輪を穿設することによって、前記各駆動輪と前記主輪及び前記各副輪は互いに隣設されると同時に、前記駆動輪の長歯は、選択的に前記係止歯及び前記咬歯とかみ合い、前記駆動輪の短歯は、選択的に前記係止歯と接触し、
前記蓋体は、窓を備え、前記窓と前記シート体は突き合って結合するとともに、前記計算ユニットをその中に挟設し、前記窓を通して前記計算ユニットが計算した数字を表示し、
前記蓋体は、窓を備え、前記窓と前記シート体は突き合って結合するとともに、前記計算ユニットをその中に挟設し、前記窓を通して前記計算ユニットが計算した数字を表示し、
前記押圧部は、前記計算ユニットのローラーロッドに嵌合されることによって、前記計算ユニットを駆動することを特徴とする、計算機の構造。
【請求項２】
前記回復部は円筒状のばねであり、前記円筒状のばねを嵌合したローラーロッドは、さらに、底部に水平フランジを備えた押圧部に嵌合接合され、前記回復部及びローラーロッドの横棒に係合する前記押圧部内部には、収容スペース及び傾斜ローラー溝が設けられることを特徴とする、請求項１に記載の計算機の構造。
【請求項３】
前記回復部は、金属が中心に巻き付くことによって穿孔が設けられるとともに、前記穿孔の両側は外に向いたばねの形になり、さらにばねの側端は折部を形成し、前記シート体は、さらにばね折部の位置決めをする位置決め穴を備えることを特徴とする、請求項１に記載の計算機の構造。
【請求項４】
上蓋及び下蓋を備え、前記下蓋内には収容部が備えられ、前記収容部には前記シート体が設置され、前記上蓋は抜き穴を備え、前記抜き穴の大きさと前記蓋体の窓の大きさは同じであり、前記上蓋は下蓋に対応して結合するとともに、前記蓋体及び前記シート体の外を被覆し、前記押圧部が前記下蓋及び上蓋の外側に出るようにすることで、前記上蓋の抜き穴は、前記窓の位置に対応するとともに、前記窓によって前記計算ユニットが計算した数字を表示することを特徴とする、請求項１に記載の計算機の構造。
【考案の詳細な説明】
【技術分野】
【０００１】
本考案は計算機の構造に関し、特に、電力駆動を使用せずに数を計算することのできる計算機の構造に関する。
【背景技術】
【０００２】
計算機は、回数または品物の数を計算する機能を備えるため、工場生産において大量に使用されており、特に、射出成形機に使用されている。米国特許第５５７１５３９号明細書には、鋳造用の計算機または監視カメラが開示されており、それらは、機械に設けられるとともに、電池の電力によって計算機を駆動する。
【０００３】
しかしながら、上述の計算機は非常に多くの構造を備え、構成が繁雑であるため、価格が非常に高いとともに、計算機は電池の電力によってはじめて駆動するため、電池が切れた時、前記計算機は作動しなくなる。よって、使用上の問題が存在する。
【先行技術文献】
【特許文献】
【０００４】
【特許文献１】米国特許第５５７１５３９号明細書
【考案の概要】
【考案が解決しようとする課題】
【０００５】
本考案は、主に、使用上の便利さ、簡素化された構造を備えると同時に、駆動に電力を必要とせず、耐久性及び使用寿命をさらに向上する計算機の構造を提供することを目的とする。
【課題を解決するための手段】
【０００６】
上述の目的を達成するために、本考案の計算機の構造は、計算ユニットと、シート体と、第１軸棒と、第２軸棒と、蓋体と、押圧部と、からなる。前記計算ユニットは、ローラーロッドと、推進片と、金属レバーと、主輪と、金属停止部と、複数の副輪を備える。前記ローラーロッドの一端には横方向穴が設けられ、前記ローラーロッドの他端は、中心に軸穴が設けられた駆動部を備える。前記横方向穴は、横棒を備え、前記ローラーロッドは回復部を嵌合し、前記ローラーロッドの駆動部はリセット部を備え、前記推進片は駆動部はめ込み穴を備える。前記ローラーロッドの駆動部には前記駆動部はめ込み穴がはめ込まれており、前記推進片の周囲にはストッパが穿設され、前記ストッパの一側は、前記リセット部に当接し係止され、前記ストッパの他側の周囲には、抵抗部が突設され、前記金属レバーは金属弾性部に連結される。前記金属弾性部と金属レバーは、前記推進片のストッパの他端に連結され、前記主輪は中心軸穴を備え、前記主輪の一面は複数の回転歯を備え、他面は係止歯を備えることによって、前記金属停止部は、前記主輪の回転歯を互いにかみ合わせる。さらに、前記各副輪は、中心軸穴を備え、前記各副輪の一面は複数の咬歯を備え、前記各副輪の他面は係止歯を備える。前記シート体には、前記計算ユニットが設置され、前記シート体の一側には穿孔が設けられ、前記ローラーロッドは前記穿孔を穿設することによって、前記計算ユニットのローラーロッドを前記シート体の外に突き出させる。前記第１軸棒は、前記各副輪の中心軸穴及び前記主輪の中心軸穴を穿設し、前記第１軸棒の一端は、前記シート体の側壁に軸合し、他端は、前記ローラーロッド駆動部の中心軸穴に軸合することによって、前記金属レバーと前記主輪の係止歯が互いにかみ合う。前記第２軸棒は、両端がそれぞれ前記シート体の両側壁に軸合するとともに、複数の駆動輪を穿設し、前記各駆動輪は、中心軸穴を備え、さらに前記各駆動輪は、複数の長歯と複数の短歯を備える。前記第２軸棒は、前記各駆動輪を穿設することによって、前記各駆動輪と前記主輪及び前記各副輪は互いに隣設されると同時に、前記駆動輪の長歯は、選択的に前記係止歯及び前記咬歯とかみ合い、前記駆動輪の短歯は、選択的に前記係止歯と接触する。前記蓋体は、窓を備え、前記窓と前記シート体は突き合って結合するとともに、前記計算ユニットをその中に挟設し、前記窓を通して前記計算ユニットが計算した数字を表示する。前記押圧部は、前記計算ユニットのローラーロッドに嵌合されることによって、前記計算ユニットを駆動する。
【０００７】
上述の計算機の構造において、前記回復部は円筒状のばねであり、前記円筒状のばねを嵌合したローラーロッドは、さらに、底部に水平フランジを備えた押圧部に嵌合接合され、前記回復部及びローラーロッドの横棒に係合する前記押圧部内部には、収容スペース及び傾斜ローラー溝が設けられる。
【０００８】
上述の計算機の構造において、前記回復部は、金属が中心に巻き付くことによって穿孔が設けられるとともに、前記穿孔の両側は外に向いたばねの形になる。さらにばねの側端は折部を形成し、前記シート体は、さらにばね折部の位置決めをする位置決め穴を備える。
【０００９】
上述の計算機の構造は、さらに上蓋及び下蓋を備え、前記下蓋内には収容部が備えられ、前記収容部には前記シート体が設置され、前記上蓋は抜き穴を備える。前記抜き穴の大きさと前記蓋体の窓の大きさは同じであり、前記上蓋は下蓋に対応して結合するとともに、前記蓋体及び前記シート体の外を被覆し、前記押圧部が前記下蓋及び上蓋の外側に出るようにすることで、前記上蓋の抜き穴は、前記窓の位置に対応するとともに、前記窓によって前記計算ユニットが計算した数字を表示する。
【図面の簡単な説明】
【００１０】
【図１】本考案の構造の外観を示した斜視図である。
【図２】本考案の構造分解図である。
【図３】本考案における組み立て構造の局部の断面を示した図である。
【図４】本考案における金属レバー、回転歯、金属停止部の組み合わせを示した図である。
【図５】本考案における駆動輪による副輪の数字の繰り上げ動作の駆動を示した（一）図である。
【図６】本考案における駆動輪による副輪の数字の繰り上げ動作の駆動を示した（二）図である。
【図７】本考案における駆動輪による副輪の数字の繰り上げ動作の駆動を示した（三）図である。
【考案を実施するための形態】
【００１１】
図１から図７を同時に参照する。本考案の計算機の構造１は、計算ユニット１０と、シート体２０と、第１軸棒２１と、第２軸棒２２と、蓋体２４と、押圧部３０と、からなる。計算ユニット１０は、ローラーロッド１１と、推進片１４と、金属レバー１５と、主輪１７と、金属停止部１６と、複数の副輪１８を備える。ローラーロッド１１の一端には横方向穴１１１が設けられ、ローラーロッド１１の他端は、中心に軸穴が設けられた駆動部１１３を備える。横方向穴１１１は、横棒１１２を備え、ローラーロッド１１は回復部１２を嵌合し、ローラーロッド１１の駆動部１１３はリセット部１３を備え、推進片１４は駆動部はめ込み穴１４３を備える。ローラーロッド１１の駆動部１１３には駆動部はめ込み穴１４３がはめ込まれており、推進片１４の周囲にはストッパ１４１が穿設され、前記ストッパの一側は、リセット部１３に当接し係止され、ストッパ１４１の他側の周囲には、抵抗部１４２が突設され、金属レバー１５は金属弾性部１５１に連結される。金属弾性部１５１と金属レバー１５は、推進片１４のストッパ１４１の他端に連結され、主輪１７は中心軸穴を備え、主輪１７の一面は複数の回転歯１７１を備え、他面は係止歯１７２を備えることによって、金属停止部１６は、主輪１７の回転歯１７１を互いにかみ合わせる。さらに、各副輪１８は、中心軸穴を備え、各副輪１８の一面は複数の咬歯１８１を備え、各副輪１８の他面は係止歯１８２を備える。シート体２０には、計算ユニット１０が設置され、シート体２０の一側には穿孔２０１が設けられ、ローラーロッド１１は穿孔２０１を穿設することによって、計算ユニット１０のローラーロッド１１をシート体２０の外に突き出させる。第１軸棒２１は、各副輪１８の中心軸穴及び前記主輪の中心軸穴を穿設し、第１軸棒２１の一端は、シート体２０の側壁の軸穴２０４に軸合し、他端は、ローラーロッド１１の駆動部１１３の中心軸穴に軸合することによって、金属レバー１５と主輪１７の係止歯１７１が互いにかみ合う。第２軸棒２２は、両端がそれぞれシート体２０の両側壁の軸穴２０２、２０３に軸合するとともに、複数の駆動輪２３を穿設し、各駆動輪２３は、中心軸穴を備え、さらに各駆動輪２３は、複数の長歯２３１と複数の短歯２３２を備える。第２軸棒２２は、各駆動輪２３を穿設することによって、各駆動輪２３と主輪１７及び各副輪１８は互いに隣設されると同時に、駆動輪２３の長歯２３１は、選択的に係止歯１７１、１８２及び咬歯１８１とかみ合い、駆動輪２３の短歯２３２は、選択的に係止歯１７２，１８２と接触する。蓋体２４は、窓２４１を備え、窓２４１とシート体２０は突き合って結合するとともに、計算ユニット１０をその中に挟設し、窓２４１を通して計算ユニット１０が計算した数字を表示する。さらに押圧部３０は、計算ユニット１０のローラーロッド１１に嵌合されることによって、計算ユニット１０を駆動する。
【００１２】
本考案の計算機の構造１は、さらに上蓋３１及び下蓋３２を備え、下蓋３２内には収容部３２１が備えられ、収容部３２１にはシート体２０が設置され、上蓋３１は抜き穴３１１を備える。抜き穴３１１の大きさと蓋体２４の窓２４１の大きさは同じであり、上蓋３１は下蓋３２に対応して結合するとともに、蓋体２４及びシート体２０の外を被覆し、押圧部３０が下蓋３２及び上蓋３１の外側に出るようにすることで、上蓋３１の抜き穴３１１は、窓２４１の位置に対応するとともに、窓２４１によって計算ユニット１０が計算した数字を表示する。
【００１３】
そのうち、回復部１２は円筒状のばねであり、前記円筒状のばねを嵌合したローラーロッド１１は、さらに、底部に水平フランジを備えた押圧部３０に嵌合接合され、回復部及びローラーロッド１１の横棒１１２に係合する押圧部３０内部には、収容スペース３０１及び傾斜ローラー溝３０２が設けられる。
【００１４】
さらに、回復部１３は、金属が中心に巻き付くことによって穿孔が設けられるとともに、前記穿孔の両側は外に向いたばねの形になる。さらにばねの側端は折部を形成し、シート体２０は、さらにばね折部の位置決めをする位置決め穴２０５を備える。
【００１５】
図２と図３を参照する。複数の駆動輪２３に結合された第２軸棒２２は前記シート体２０内に設置され、第２軸棒２２の両端は、それぞれシート体２２の両側壁の軸穴２０２、２０３と互いに軸合し、軸棒１１は、シート体２０の側壁上の穿孔２０１を突き抜けて、軸棒１１の一端をシート体２０の外に突き出させ、横棒１１２はローラーロッド１１に横向きに挿設され、リセット部１３の中央穿孔は、ローラーロッド１１の駆動部１１３に嵌合され、リセット部１３の折部は、シート体２０の位置決め穴２０５に挿置され、推進片１４の駆動部はめ込み穴１４３は、ローラーロッド１１の駆動部１１３にはめ込まれることによって、推進片１４はシート体２０に当接する。さらにリセット部１３の一側は、推進片１４のストッパ１４１の一側に抵抗し、金属レバー１５は、ストッパ１４１の他側に直接結合し、複数の副輪１８と主輪１７を穿設する第１軸棒２１の一側は、シート体２０の軸穴２０４に軸合し、他側は、穿孔２０１を通してローラーロッド１１の駆動部１１３の軸穴に軸合されることによって、複数の駆動輪２３と主輪１７及び複数の副輪１８は隣接すると同時に、駆動輪２３の長歯２３１は、選択的に係止歯１７２、１８２及び咬歯１８２をかみ合わせることができ、短歯２３は、選択的に係止歯１７２、１８２と接触する。シート体２０は、計算ユニット１０をその中に収容すると同時に、主輪１７と副輪１８の数字を蓋体２４の窓２４１を通して外に表示することができる。
【００１６】
回復部１２は、ローラーロッド１１の外周縁に設置され、押圧部３０は、傾斜ローラー溝３０２がローラーロッド１１の横棒１１２に対面するようにして、ローラーロッド１１を係合することによって、回復部１２は、押圧部３０の収容スペース３０１内に設置され、押圧部３０の水平フランジは、シート体２０と蓋体２４の外に係止される。これにより、回復部１２は、押圧部３０とシート体２０の間に限定される。
【００１７】
押圧部３０が押される時、横棒１１２は、傾斜ローラー溝に沿って移動するとともに、ローラーロッド１１を動かす上、ローラーロッド１１を回す。ローラーロッド１１は、さらに推進片１４を動かし、推進片１４は金属レバー１５を動かす。金属レバー１５は、回転歯１７１を動かすことによって主輪１７を勢いよく回すとともに、金属停止部１６と回転歯１７１は互いにかみ合うことによって、参照した図４に示すように、回転後の主輪１７は逆回りせず、主輪１７の数字を繰り上げる。主輪１７が約１０進法まで回ると、係止歯１７２は短歯２３２を押すことによって駆動輪２３を回転させ始める。このとき、長歯２３１は、係止歯１７２及び咬歯１８１と互いにかみ合い、主輪１７と副輪１８を同時に連動することによって、副輪１８の数字を繰り上げる。同じ道理で、副輪１８が約１０進法まで回ると、図５から図７に示すように、係止歯１８２は短歯２３２を押すことによって駆動輪２３を回転させ始め、長歯２３１は、係止歯１８２及びもう一つの副輪１８の咬歯１８１と互いにかみ合い、２つの副輪１８を同時に連動することによって、もう一つの副輪１８の数字を繰り上げる。押圧部３０上の圧力がなくなると、回復部１２の弾力によって、押圧部３０は元の位置に押し戻され、次の押圧まで待機する。リセット部１３の弾性は、推進片１４と金属レバー１５を始めの位置に戻し、金属弾性部１５１の弾性は、金属レバー１５を始めの位置にまで戻す。
【００１８】
要約すると、推進片１４と金属レバー１５が動き、主輪１７と各副輪１８の数字が繰り上げられることによって、生産数を計算する。上述の構造は比較的簡単で、生産しやすいとともに、使用上の不便さがないため、生産コストを低減させることができるとともに、使用上の便利さを備える。よって、使用上の便利さ、簡素化された構造を備えると同時に、駆動に電力を必要とせず、耐久性及び使用寿命をさらに向上する目的を達成する。
【符号の説明】
【００１９】
１      計算機の構造
１０    計算ユニット
１１    ローラーロッド
１１１  横方向穴
１１２  横棒
１１３  駆動部
１２    回復部
１３    リセット部
１４    推進片
１４１  ストッパ
１４２  抵抗部
１４３  駆動部はめ込み穴
１５    金属レバー
１５１  金属弾性部
１６    金属停止部
１７    主輪
１７１  回転歯
７２    係止歯
１８    副輪
１８１  咬歯
１８２  係止歯
２０    シート体
２０１  穿孔
２０２、２０３、２０４  軸穴
２０５  位置決め穴
２１    第１軸棒
２２    第２軸棒
２３    駆動輪
２３１  長歯
２３２  短歯
２４    蓋体
２４１  窓
３０    押圧部
３０１  収容スペース
３０２  傾斜ローラー溝
３１    上蓋
３１１  抜き穴
３２    下蓋
３２１  収容部  
【図１】
0003211208.tif 000003
【図２】
0003211208.tif 000004
【図３】
0003211208.tif 000005
【図４】
0003211208.tif 000006
【図５】
0003211208.tif 000007
【図６】
0003211208.tif 000008
【図７】
0003211208.tif 000009